(57)【要約】【課題】封止材の引き込み量を確認することができる液晶表示パネルを提供することである。【解決手段】本発明に係る液晶表示パネル１００の一態様は、対向配置される一対の基板間に液晶を挟持してなる液晶表示パネル１００であって、一対の基板の対向する面に設けられた配向膜１０５と、注入口１０４を有し表示領域を囲繞するように枠状に設けられ一対の基板を固着するシール材１０３と、注入口１０４を封止する封止材１０７とを有し、配向膜１０５は注入口１０４に対応して設けられた突部１０６を有し、突部１０６には窓部１０８が設けられているものである。【選択図】図１
2007206098.tif 000002
【特許請求の範囲】
【請求項１】
対向配置される一対の基板間に液晶を挟持してなる液晶表示パネルであって、
前記一対の基板の対向する面に設けられた配向膜と、
注入口を有し、表示領域を囲繞するように枠状に設けられ、前記一対の基板を固着するシール材と、
前記注入口を封止する封止材とを有し、
前記配向膜は前記注入口に対応して設けられた突部を有し、
前記突部には該突部の先端から基端に向かう第１の窓部が設けられている液晶表示パネル。
【請求項２】
前記配向膜は、垂直配向膜である請求項１記載の液晶表示パネル。
【請求項３】
前記第１の窓部は、前記注入口の略中央に設けられている請求項１又は２に記載の液晶表示パネル。
【請求項４】
前記第１の窓部の幅は、前記注入口の幅の半分以下である請求項１、２又は３に記載の液晶表示パネル。
【請求項５】
前記第１の窓部の長さは、前記突部の長さと略等しい請求項１〜４のいずれか１項に記載の液晶表示素子。
【請求項６】
前記第１の窓部は、間欠的に配置されている複数の開口からなる請求項１〜５のいずれか１項に記載の液晶表示パネル。
【請求項７】
前記突部には、前記シール材に接するように配置される第２の窓部がさらに設けられ、
前記第１の窓部は、前記第２の窓部よりも表示領域側に設けられている請求項１〜６のいずれか１項に記載の液晶表示パネル。
【発明の詳細な説明】
【技術分野】
【０００１】
本発明は、液晶表示パネルに関し、特に配向膜を有する液晶表示パネルに関する。
【背景技術】
【０００２】
近年、高度な映像・情報化社会の本格的な進展やマルチメディアシステムの急速な普及に伴い、フラットパネルディスプレイの主役を担っている液晶表示装置の重要性はますます増大している。液晶表示装置は、低消費電力・薄型・軽量という利点を有することから、携帯端末機器などの表示装置として広く利用されている。
【０００３】
従来の液晶表示パネルにおいては、配向膜が設けられていない注入口近傍で光漏れが発生し、コントラストが低下するという問題があった。そこで、注入口部分に垂直配向膜を配置することによって、光漏れを抑制する技術が提案されている（例えば、特許文献１参照）。
【０００４】
近年、ＶＡ（Vertically Aligned：垂直配向）モードの液晶表示パネルが提案されている。ＶＡモードの液晶表示パネルでは、負の誘電異方性を有する液晶を用い、基板に垂直に配向させた液晶分子を印加電圧によって傾斜させることにより表示を行う。従来のＴＮ（Twisted Nematic）モードの液晶表示パネルと比較すると、ＶＡモードの液晶表示パネルは印加電圧に対する光透過率の変化が急峻であり（鋭いしきい特性が得られ）、コントラスト比が大きくとれるために高い表示品質が得られる。
【０００５】
図７に、従来のＶＡモードの液晶表示パネル１０の構成を示す。図７に示すように、ＶＡモードの液晶表示パネル１０においては、基板１１に形成された垂直配向膜１２により、液晶分子１３は基板１１に対して垂直に配向されている。しかしながら、注入口部分には垂直配向膜１２は形成されておらず、注入口においては液晶分子はランダムに配向してしまう。このため、ＶＡモードの液晶表示パネル１０においても、従来と同様に注入口部分から光が漏れてしまい、コントラストが低下するという問題を有していた。このため、図８に示すように、注入口部分に垂直配向膜を配置し、注入口部分の光漏れを抑制している。
【特許文献１】特開２０００−２５８７８４号公報
【発明の開示】
【発明が解決しようとする課題】
【０００６】
しかしながら、垂直配向膜１２を注入口部分に配置すると、以下のような問題が生じた。ＶＡモードの液晶表示パネル１０に貼着される偏光板１４は、クロスニコル状態で配置され、ノーマリーブラックとなっている。このとき、図８に示すように、表示領域及び注入口においては、垂直配向膜１２により液晶分子１３が基板１１に対し垂直に配向されているため、異方性を有しない。従って、電圧無印加時では、反視認側の偏光板１４を透過した光は、液晶層で偏光状態が変わらずそのまま透過するため、視認側の偏光板１４を透過しない。
【０００７】
また、注入口を封止する封止材１５及び両基板１１を固着するシール材（不図示）も、異方性を有していない。このため、封止材１５及びシール材が配置された領域でも、上述のように光が透過しない。従って、封止材１５やシール材が配置された領域と、垂直配向膜１２が配置された領域の透過率が略同等となってしまう。
【０００８】
このため、注入口において封止材１５がどこまで引き込まれたかを確認することができない。封止材１５が過度に引き込まれ表示領域にまで達してしまうと、表示不良が発生してしまう。また、封止材の引き込みが十分ではないと、液晶が外部に漏れてしまう場合もある。
【０００９】
本発明は、上記のような問題を背景としてなされたものであり、本発明の目的は、封止材の引き込み量を確認することができる液晶表示パネルを提供することである。
【課題を解決するための手段】
【００１０】
本発明の第１の態様にかかる液晶表示パネルは、対向配置される一対の基板間に液晶を挟持してなる液晶表示パネルであって、前記一対の基板の対向する面に設けられた配向膜と、注入口を有し、表示領域を囲繞するように枠状に設けられ、前記一対の基板を固着するシール材と、前記注入口を封止する封止材とを有し、前記配向膜は前記注入口に対応して設けられた突部を有し、前記突部には該突部の先端から基端に向かう第１の窓部が設けられているものである。これにより、封止材の引き込み量を確認することができる。
【００１１】
本発明の第２の態様にかかる液晶表示パネルは、上記の液晶表示パネルにおいて、前記配向膜は垂直配向膜であるものである。本発明は、このような場合に特に効果が高い。
【００１２】
本発明の第３の態様にかかる液晶表示パネルは、上記の液晶表示パネルにおいて、前記第１の窓部は、前記注入口の略中央に設けられているものである。これにより、封止材が過度に引き込まれる不良パネルを判定することができる。
【００１３】
本発明の第４の態様にかかる液晶表示パネルは、上記の液晶表示パネルにおいて、前記第１の窓部の幅は、前記注入口の幅の半分以下であるものである。これにより、第１の窓部からの光漏れを低減させるとともに、目視により容易に封止材の引き込み量を確認することができる。
【００１４】
本発明の第５の態様にかかる液晶表示パネルは、上記の液晶表示パネルにおいて、前記第１の窓部の長さは、前記突部の長さと略等しいものである。これにより、封止材が過度に引き込まれる不良パネルを判定することができる。
【００１５】
本発明の第６の態様にかかる液晶表示パネルは、上記の液晶表示パネルにおいて、前記第１の窓部は、間欠的に配置されている複数の開口からなるものである。これにより、封止材の引き込み量を容易に確認することができる。
【００１６】
本発明の第７の態様にかかる液晶表示パネルは、上記の液晶表示パネルにおいて、前記突部には、前記シール材に接するように配置される第２の窓部がさらに設けられ、前記第１の窓部は、前記第２の窓部よりも表示領域側に設けられているものである。これにより、封止材の引き込み不良の判定を容易に行うことができる。
【発明の効果】
【００１７】
本発明によれば、封止材の引き込み量を確認することができる液晶表示パネルを提供することができる。
【発明を実施するための最良の形態】
【００１８】
以下に、本発明の実施の形態を図を使用して説明する。なお、これらの図および説明は本発明を例示するものであり、本発明の範囲を制限するものではない。本発明に合致する限り、他の実施の形態も本発明の範疇に属しえることは言うまでもない。
【００１９】
本発明の実施の形態について、図１及び図２を参照して説明する。図１は、本実施の形態にかかる液晶表示パネル１００の構成を示す平面図である。又、図２は、本実施の形態にかかる液晶表示パネル１００の構成を示す断面模式図である。図１及び図２に示すように、本実施の形態にかかる液晶表示パネル１００は、素子基板１０１、対向基板１０２、シール材１０３、注入口１０４、垂直配向膜１０５、突部１０６、封止材１０７、窓部１０８、液晶１０９、偏光板１１０を有している。
【００２０】
図１及び図２に示すように、本実施の形態の液晶表示パネル１００は、対向配置された素子基板１０１と対向基板１０２との間に液晶１０９が封入された構成を有している。素子基板１０１及び対向基板１０２は、ガラスなどからなる矩形状の透明絶縁性基板である。素子基板１０１と対向基板１０２とが矩形の枠状に形成されたシール材１０３によって貼り合わされている。素子基板１０１と対向基板１０２との間隔は、シール材１０３によって区画された領域内に設けられたスペーサ（不図示）により規定されている。この素子基板１０１、対向基板１０２及びシール材１０３によって区画された領域内に、液晶１０９が封入されている。
【００２１】
素子基板１０１の内面上には、水平方向に図示しないゲート線（走査線）、垂直方向に図示しないソース線（信号線）がそれぞれ形成されており、ゲート線とソース線の交差点付近にはＴＦＴが設けられている。また、ゲート線とソース線との間にマトリクス状に形成された複数の画素電極を有している。ＴＦＴのゲート電極がゲート線に、ソース電極がソース線に、ドレイン電極が画素電極に、それぞれ接続される。画素電極が形成された領域が、表示領域となる。
【００２２】
一方、対向基板１０２上には、図示しないコモン電極及びＲ（赤）、Ｇ（緑）Ｂ（青）のカラーフィルタなどが形成されている。コモン電極は、実際には画素電極と対向するように対向基板１０２の略全面に形成される矩形状の透明電極である。コモン電極としては、ＩＴＯ（Indium Tin Oxide）などの透明導電膜を用いる。
【００２３】
また、図１に示されるように、素子基板１０１は対向基板１０２よりも延出して形成されている。この延出された部分には、図示しない駆動回路が実装される。素子基板１０１及び対向基板１０２に設けられた電極の間に電圧を印加することにより、両電極間の液晶分子の配列を変更して、光の透過量を制御することにより表示を行う。
【００２４】
シール材１０３は、複数の画素電極からなる表示領域を囲繞するように枠状に設けられている。また、シール材１０３の一部には、注入口１０４が設けられている。液晶１０９は、この注入口１０４から素子基板１０１と対向基板１０２の間に注入される。
【００２５】
また、注入口１０４は封止材１０７により封止されている。封止材１０７としては、異方性を有しない熱硬化性樹脂あるいはＵＶ硬化性樹脂などを用いることができる。封止材１０７は、素子基板１０１と対向基板１０２の側端面に注入口１０４をふさぐように配置されるだけでなく、注入口１０４から素子基板１０１と対向基板１０２との間まで引き込まれている。これにより、側端面に配置された封止材１０７が取れてしまったとしても、両基板間に引き込まれた封止材１０７により液晶１０９が外部に漏れてしまうのを防止している。
【００２６】
また、図２に示すように、シール材１０３によって区画された領域内において、素子基板１０１及び対向基板１０２に設けられた電極上に垂直配向膜１０５が積層して設けられている。垂直配向膜１０５は、複数の画素電極からなる表示領域に対応して設けられ、略矩形状に形成されている。この垂直配向膜１０５により、液晶１０９の分子は、素子基板１０１及び対向基板１０２に対して垂直に配向される。
【００２７】
また、垂直配向膜１０５には、注入口１０４に対応する位置に、略矩形状の垂直配向膜から延在する突部１０６が設けられている。突部１０６は、注入口１０４における光漏れを防止し、コントラストの低下を抑制するために設けられている。突部１０６は、垂直配向膜１０５と同一の垂直配向膜材料で形成されている。この突部１０６により、注入口１０４の部分の液晶１０９分子も、素子基板１０１に対して垂直に配向する。
【００２８】
また、垂直配向膜１０５の突部１０６には、突部１０６の先端から基端に向かう窓部１０８が設けられている。窓部１０８は、突部１０６の垂直配向膜材料を切り欠き、スリット状に形成されている。すなわち、窓部１０８は、突部１０６において垂直配向膜材料が配置されていない部分である。従って、窓部１０８においては、突部１０６のように光漏れを防止する機能はなく、背面から入射した光は透過することとなる。このスリット状の窓部１０８において、封止材１０７の引き込み量を確認することができる。
【００２９】
素子基板１０１及び対向基板１０２の外側の面にはそれぞれ偏光板１１０が貼着されている。偏光板１１０は、その吸収軸が互いに直交するようクロスニコルの状態で配置されている。図２に示すように、本実施の形態においては、反視認側偏光板１１０ａの吸収軸をｚ方向、視認側偏光板１１０ｂの吸収軸をｘ方向として配置している。
【００３０】
ここで、電圧無印加時における各領域の光の透過状態を説明する。上述したように、本実施の形態においては、反視認側偏光板１１０ａの吸収軸をｚ方向、視認側偏光板１１０ｂの吸収軸をｘ方向として配置している。従って、反視認側から照射された光は、反視認側偏光板１１０ａを透過すると、ｘ方向に振動方向を有する直線偏光となる。
【００３１】
上述したように、垂直配向膜１０５及び突部１０６が形成された領域においては、液晶１０９分子は素子基板１０１に対して垂直に配向している。このため、液晶１０９は異方性を有さず、液晶１０９に入射したｘ方向の直線偏光はそのまま透過し、視認側偏光板１１０ｂに入射する。視認側偏光板１１０ｂに入射したｘ方向の直線偏光は、視認側偏光板１１０ｂの吸収軸がｘ方向に配置されているため、吸収されてしまう。このため、垂直配向膜１０５及び突部１０６は形成された領域においては、光が透過しない。
【００３２】
ここで、図３を参照して、注入口１０４から封止材１０７が引き込まれた領域の光の透過状態について説明する。図３は、本発明にかかる液晶表示パネル１００の窓部１０８の構成を示す断面図である。図３に示すように、垂直配向膜材料が形成されていない窓部１０８においては、液晶１０９分子はランダムに配向している。このため、窓部１０８の液晶１０９は異方性を有しており、液晶１０９に入射したｘ方向の直線偏光は、その偏光状態が変わってしまう。従って、視認側偏光板１１０ｂに入射した光のうち、視認側偏光板１１０ｂの吸収軸からずれた振動方向成分が透過してしまう。このため、垂直配向膜材料が形成されていない窓部１０８の領域においては、光が透過する。
【００３３】
このように窓部１０８においては、背面から照射された光が透過する。しかしながら、注入口１０４の一部には異方性を有しない封止材１０７が注入口１０４から素子基板１０１と対向基板１０２との間に引き込まれている。このため、封止材１０７が引き込まれた領域においては、垂直配向膜１０５及び突部１０６が設けられた領域と同様に、光が透過しないこととなる。このため、光が透過する窓部１０８の一部が、封止材１０７により遮光される。従って、この窓部１０８において、封止材１０７の引き込み量を確認することができる。
【００３４】
ここで、垂直配向膜１０５の突部１０６に設けられた窓部１０８の構成について図４を参照して説明する。図４に示すように、窓部１０８は、注入口１０４幅方向の略中央にスリット状に形成されている。また、窓部１０８は、突部１０６の長さと略同一の長さである。すなわち、スリット状の窓部１０８は、突部１０６の先端から基端に至るまで形成されている。さらに言えば、素子基板１０１の端部から表示領域に対応する垂直配向膜１０５の端部まで、突部１０６が形成された領域にわたって形成されている。すなわち、窓部１０８は、枠状に形成されたシール材１０３の内周辺に対応する位置まで形成されている。
【００３５】
封止材１０７は、シール材１０３との相溶性が低く、はじいてしまう傾向がある。このため、図１に示すように、封止材１０７は、注入口１０４の幅方向の中央部分で最も引き込み量が多く、シール材１０３の近傍ではあまり引き込まれていない。
【００３６】
従って、窓部１０８を注入口１０４幅方向の略中央に、垂直配向膜１０５の端部まで形成することにより、封止材１０７が過度に引き込まれ表示領域に達してしまい、表示不良となるパネルを判別することができる。すなわち、窓部１０８が封止材１０７によって全部遮光されてしまった場合には、封止材１０７が、表示領域まで達していると判定することができる。
【００３７】
窓部１０８の幅は、注入口１０４の幅の半分以下であることが好ましい。例えば、注入口１０４の幅が５〜１０ｍｍの場合に、窓部１０８の幅を１〜３ｍｍとすることができる。これにより、窓部１０８における光漏れを抑制するとともに、封止材１０７の引き込み量を目視により確認することができる。
【００３８】
なお、窓部１０８の形状としては、上述例に限定されない。図５及び図６を参照して、窓部１０８の他の形状について説明する。図５及び図６は、窓部１０８の形状の他の例を示す図である。図５及び図６において、図４と同様の構成要素には同一の符号を付している。
【００３９】
図５に示すように、窓部１０８は間欠的に配置された複数の開口から形成されていてもよい。この複数の開口は、突部１０６の先端から基端に向かって配置されている。すなわち、複数の配向膜の開口が一定間隔を隔てて、注入方向すなわち突部１０６の長さ方向に沿って直線上に、基板の端部から表示領域の端部まで配置されている。このようにすることによって、封止材１０７により遮光された開口の位置によって、封止材１０７の引き込み量を目視により容易に確認することができる。つまり、開口を間欠的に形成することによって、窓部１０８を封止材１０７の引き込み量を確認するための目盛とすることができる。
【００４０】
例えば、１つ目の開口のみが封止材１０７により遮光されている場合には、封止材１０７の引き込み量が不足しており、液晶１０９が漏れてしまう不良パネルと判定することができる。また、４つ目の開口まで封止材１０７により遮光されている場合には、封止材１０７の引き込み量が多すぎて表示領域まで達し、表示不良パネルであると判定することができる。
【００４１】
また、窓部を複数設ける構成としてもよい。例えば、図６に示すように、注入口１０４の幅方向の略中央に第１の窓部１１１を、シール材１０３に接するように２つの第２の窓部１１２設けてもよい。すなわち、第２の窓部１１２は第１の窓部１１１よりも注入口近傍のシール材側に設けられている。
【００４２】
また、このとき、第１の窓部１１１は、突部１０６の長さと略同一の長さである。すなわち、第１の窓部１１１は、素子基板１０１の端部から表示領域に対応する垂直配向膜１０５の端部まで形成されている。また、シール材１０３に沿って形成した第２の窓部１１２は、第１の窓部１１１よりも短い。すなわち、第１の窓部１１１は、第２の窓部１１２よりも表示領域側に設けられている。
【００４３】
上述したように、封止材１０７は、注入口１０４の幅方向の中央部分で最も引き込み量が多く、シール材１０３の近傍ではあまり引き込まれていない。従って、第１の窓部１１１を形成した領域において、封止材１０７の引き込み量が最も多くなる可能性が高い。このため、第１の窓部１１１により、封止材１０７が過度に引き込まれ表示領域に達してしまい、表示不良となるパネルを判別することができる。
【００４４】
また、第２の窓部１１２を形成した領域において、封止材１０７の引き込み量が最も少なくなる可能性が高い。このため、第２の窓部１１２の長さを、封止材１０７を最低限引き込ませたい長さとし、封止材１０７の引き込み量が不足のパネルを判定することができる。なお、封止材１０７の量が適当である場合には、第２の窓部１１２は封止材１０７により遮光されてしまうため、光漏れが増大するのを抑制することができる。
【００４５】
なお、本実施の形態においては、垂直配向の液晶表示パネルについて説明したが、これに限定されない。例えば、ＴＮモードなどの他の型式の液晶表示パネルなどにも適用することができる。
【図面の簡単な説明】
【００４６】
【図１】本発明にかかる液晶表示パネルの構成を示す平面図である。
【図２】本発明にかかる液晶表示パネルの構成を示す断面図である。
【図３】本発明にかかる液晶表示パネルの窓部の構成を示す断面図である。
【図４】本発明にかかる液晶表示パネルの窓部の形状の一例を示す図である。
【図５】本発明にかかる液晶表示パネルの窓部の形状の他の例を示す図である。
【図６】本発明にかかる液晶表示パネルの窓部の形状の他の例を示す図である。
【図７】従来の液晶表示パネルの構成を示す断面図である。
【図８】従来の液晶表示パネルの構成を示す断面図である。
【符号の説明】
【００４７】
１００  液晶表示パネル
１０１  素子基板
１０２  対向基板
１０３  シール材
１０４  注入口
１０５  垂直配向膜
１０６  突部
１０７  封止材
１０８  窓部
１０９  液晶
１１０  偏光板
【図１】
2007206098.tif 000003
【図２】
2007206098.tif 000004
【図３】
2007206098.tif 000005
【図４】
2007206098.tif 000006
【図５】
2007206098.tif 000007
【図６】
2007206098.tif 000008
【図７】
2007206098.tif 000009
【図８】
2007206098.tif 000010